(57)【要約】【課題】携帯端末がユーザによって動かされたときに得られる情報を有効に活用した情報提供を可能とする情報提供システム、情報提供サーバ及び携帯端末等を提供する。【解決手段】ユーザによって携帯電話機Ｐが振られたときの振り回数、平均速度、振り数値等の振りデータを携帯電話機Ｐが取得し、着信音サーバＲＳは、過去に取得された振りデータと、今回取得された振りデータに基づいて、携帯電話機Ｐに対して着信音データを配信する。【選択図】図１
2007258885.tif 000002
【特許請求の範囲】
【請求項１】
ユーザに携帯される携帯端末と、前記携帯端末に対して情報を提供する情報提供サーバと、を備える情報提供システムであって、
前記携帯端末は、
当該携帯端末がユーザによって動かされたときの運動に基づく動き情報を取得する動き情報取得手段と、
前記情報提供サーバにより提供された情報を取得する提供情報取得手段と、を備え、
前記情報提供サーバは、
前記携帯端末により過去に取得された動き情報と、今回取得された動き情報と、に基づいて、前記携帯端末に対して情報を提供する情報提供手段を備えることを特徴とする情報提供システム。
【請求項２】
請求項１に記載の情報提供システムにおいて、
前記携帯端末の前記動き情報取得手段は、前記動き情報として、当該携帯端末がユーザによって振られたときの加速度、速度、振り回数、またはこれらの少なくともいずれか一つから得られる情報の内、少なくともいずれか一つを取得することを特徴とする情報提供システム。
【請求項３】
請求項１または請求項２に記載の情報提供システムにおいて、
前記携帯端末は、
当該携帯端末の向きを示す方向情報を取得する方向取得手段を更に備え、
前記情報提供サーバの情報提供手段は、
前記携帯端末により過去に取得された動き情報と、今回取得された動き情報と、前記取得された方向情報と、に基づいて、前記携帯端末に対して情報を提供することを特徴とする情報提供システム。
【請求項４】
請求項１乃至３のいずれか１項に記載の情報提供システムにおいて、
前記情報提供サーバは、
複数のコンテンツデータを記憶するコンテンツ記憶手段を更に備え、
前記情報提供サーバの前記情報提供手段は、
前記コンテンツ記憶手段に記憶された複数のコンテンツデータの内、前記携帯端末により過去に取得された動き情報または当該過去に取得された複数回分の動き情報から得られる情報の少なくともいずれか一方と、今回取得された動き情報と、の比較結果に対応する前記コンテンツデータを前記端末装置に対して提供することを特徴とする情報提供システム。
【請求項５】
請求項４に記載の情報提供システムにおいて、
前記携帯端末の情報を管理する情報管理サーバを更に備え、
前記情報管理サーバは、
前記携帯端末により取得された動き情報または今までに取得された複数回分の動き情報から得られる情報の少なくともいずれか一方を記憶する動き情報記憶手段を備え、
前記情報提供サーバの前記情報提供手段は、
前記情報管理サーバにより記憶された過去の動き情報または前記携帯端末により過去に取得された複数回分の動き情報から得られる情報の少なくともいずれか一方と、今回取得された動き情報と、の比較結果に対応する前記コンテンツデータを前記端末装置に対して提供することを特徴とする情報提供システム。
【請求項６】
ユーザに携帯される携帯端末に対して情報を提供する情報提供サーバであって、
前記携帯端末がユーザによって動かされたときの運動に基づいて前記携帯端末により取得された動き情報の内、過去に取得された動き情報と、今回取得された動き情報と、に基づいて、前記携帯端末に対して情報を提供する情報提供手段を備えることを特徴とする情報提供サーバ。
【請求項７】
ユーザに携帯され、情報提供サーバにより提供される情報を取得する携帯端末であって、
当該携帯端末がユーザによって動かされたときの運動に基づく動き情報を取得する動き情報取得手段と、
前記動き情報取得手段により過去に取得された動き情報と、今回取得された動き情報と、に基づいて情報提供サーバから提供された情報を取得する提供情報取得手段と、
を備えることを特徴とする携帯端末。
【請求項８】
ユーザに携帯される携帯端末であって、
当該携帯端末がユーザによって動かされたときの運動に基づく動き情報を取得する動き情報取得手段と、
前記取得された動き情報または今までに取得された複数回分の動き情報から得られる情報の少なくともいずれか一方を記憶する動き情報記憶手段と、
前記記憶手段に記憶された過去の動き情報または前記動き情報取得手段により過去に取得された複数回分の動き情報から得られる情報の少なくともいずれか一方と、今回取得された動き情報と、に基づいて、ユーザに対して情報を提供する情報提供手段を備えることを特徴とする携帯端末。
【請求項９】
ユーザに携帯される携帯端末と、前記携帯端末に対して情報を提供する情報提供サーバと、を備える情報提供システムにおける情報提供方法であって、
前記携帯端末が、ユーザによって動かされたときの運動に基づく動き情報を取得する工程と、
前記情報提供サーバが、前動携帯端末により過去に取得された動き情報と、今回取得された動き情報と、に基づいて、前記携帯端末に対して情報を提供する工程と、
前記携帯端末が、前記情報提供サーバにより提供された情報を取得する工程と、
を備えることを特徴とする情報提供方法。
【請求項１０】
ユーザに携帯される携帯端末に対して情報を提供する情報提供サーバに含まれるコンピュータを、
前記携帯端末がユーザによって動かされたときの運動に基づいて前記携帯端末により取得された動き情報の内、過去に取得された動き情報と、今回取得された動き情報と、に基づいて、前記携帯端末に対して情報を提供する情報提供手段として機能させることを特徴とする情報提供サーバ用プログラム。
【請求項１１】
ユーザに携帯され、情報提供サーバにより提供される情報を取得する携帯端末に含まれるコンピュータを、
当該携帯端末がユーザによって動かされたときの運動に基づく動き情報を取得する動き情報取得手段、
前記動き情報取得手段により過去に取得された動き情報と、今回取得された動き情報と、に基づいて情報提供サーバから提供された情報を取得する提供情報取得手段、
として機能させることを特徴とする携帯端末用プログラム。
【発明の詳細な説明】
【技術分野】
【０００１】
本発明は、ユーザによって動かされたときの運動に基づく情報を取得する携帯端末に対して情報を提供する情報提供システム、情報提供サーバ及び携帯端末等の技術分野に関する。
【背景技術】
【０００２】
従来、移動体通信端末等の携帯端末に、地磁気センサや加速度センサ等を搭載させ、これらのセンサにより検出された端末の向きや加速度等の情報を利用した技術が考案されている。
【０００３】
例えば、地磁気センサ及び加速度センサを一体化したモーションコントロールセンサ（姿勢制御センサ）と呼ばれる半導体チップを搭載した携帯電話端末が販売されている。これによれば、ユーザが端末を傾けたりすることで当該端末を操作したり、端末を振ることでその振りに応じた効果音を発生させたり、端末の向いている方角をディスプレイに表示させたりすることができるようになっている。
【０００４】
また、特許文献１においては、家の中心でユーザが方位を調べたい対象物（本棚、テレビ、タンス等）に対して地磁気センサを搭載した携帯電話端末を向けると、当該対象物の方位に基づいた風水のアドバイスをディスプレイに表示する技術が開示されている。
【特許文献１】特開２００３−１５２８２８号公報
【発明の開示】
【発明が解決しようとする課題】
【０００５】
ところで、ユーザが携帯端末を動かした場合、そのときの端末の動き方（例えば、動く速度、加速度、動く回数、距離、方向、描く軌跡等）には、ユーザの特徴や性格等といったものが反映されであろうし、また時には、ユーザの気分や感情、健康状態、バイオリズム等が反映されることもある（例えば、ユーザの体調が良いときには強く動かし、体調が悪いときには弱く動かす等）。こうしたユーザの情報が反映されるような携帯端末の動きから得られる情報を有効に活用することができれば、ユーザに対してより良質、的確な、あるいは多様性のある情報提供が可能となるものと期待される。
【０００６】
しかしながら、上述したような従来の技術のように、携帯端末の動きから得られる情報を一時に利用するだけでは、その端末の動きから得られる情報を有効に利用しているとは言い難い。
【０００７】
本発明は、以上の点に鑑みてなされたものであり、携帯端末がユーザによって動かされたときに得られる情報を有効に活用した情報提供を可能とする情報提供システム、情報提供サーバ及び携帯端末等を提供することを目的とする。
【課題を解決するための手段】
【０００８】
上記課題を解決するために、請求項１に記載の発明は、ユーザに携帯される携帯端末と、前記携帯端末に対して情報を提供する情報提供サーバと、を備える情報提供システムであって、前記携帯端末は、当該携帯端末がユーザによって動かされたときの運動に基づく動き情報を取得する動き情報取得手段と、前記情報提供サーバにより提供された情報を取得する提供情報取得手段と、を備え、前記情報提供サーバは、前記携帯端末により過去に取得された動き情報と、今回取得された動き情報と、に基づいて、前記携帯端末に対して情報を提供する情報提供手段を備えることを特徴とする。
【０００９】
この発明によれば、今回携帯端末がユーザによって動かされたときに得られた情報を用いて情報を提供するときに、過去に携帯端末がユーザによって動かされたときに得られた情報を有効に活用することができる。
【００１０】
請求項２に記載の発明は、請求項１に記載の情報提供システムにおいて、前記携帯端末の前記動き情報取得手段は、前記動き情報として、当該携帯端末がユーザによって振られたときの加速度、速度、振り回数、またはこれらの少なくともいずれか一つから得られる情報の内、少なくともいずれか一つを取得することを特徴とする。
【００１１】
請求項３に記載の発明は、請求項１または請求項２に記載の情報提供システムにおいて、前記携帯端末は、当該携帯端末の向きを示す方向情報を取得する方向取得手段を更に備え、前記情報提供サーバの情報提供手段は、前記携帯端末により過去に取得された動き情報と、今回取得された動き情報と、前記取得された方向情報と、に基づいて、前記携帯端末に対して情報を提供することを特徴とする。
【００１２】
この発明によれば、今回及び過去に携帯端末が動かされたときに得られた情報に加えて携帯端末の向いている方向をも考慮するので、より的確な、あるいは、より多様性等のある情報を提供することができる。
【００１３】
請求項４に記載の発明は、請求項１乃至３のいずれか１項に記載の情報提供システムにおいて、前記情報提供サーバは、複数のコンテンツデータを記憶するコンテンツ記憶手段を更に備え、前記情報提供サーバの前記情報提供手段は、前記コンテンツ記憶手段に記憶された複数のコンテンツデータの内、前記携帯端末により過去に取得された動き情報または当該過去に取得された複数回分の動き情報から得られる情報の少なくともいずれか一方と、今回取得された動き情報と、の比較結果に対応する前記コンテンツデータを前記端末装置に対して提供することを特徴とする。
【００１４】
この発明によれば、過去における携帯端末の動きから得られる情報から、今回の携帯端末の動きの傾向等を判定することができるので、現在におけるユーザの状態、状況等を反映した情報提供が可能となる。
【００１５】
請求項５に記載の発明は、請求項４に記載の情報提供システムにおいて、前記携帯端末の情報を管理する情報管理サーバを更に備え、前記情報管理サーバは、前記携帯端末により取得された動き情報または今までに取得された複数回分の動き情報から得られる情報の少なくともいずれか一方を記憶する動き情報記憶手段を備え、前記情報提供サーバの前記情報提供手段は、前記情報管理サーバにより記憶された過去の動き情報または前記携帯端末により過去に取得された複数回分の動き情報から得られる情報の少なくともいずれか一方と、今回取得された動き情報と、の比較結果に対応する前記コンテンツデータを前記端末装置に対して提供することを特徴とする。
【００１６】
この発明によれば、携帯端末の記憶容量が少ない場合でも、過去における携帯端末の動きから得られる情報を記憶しておくことができる。
【００１７】
請求項６に記載の発明は、ユーザに携帯される携帯端末に対して情報を提供する情報提供サーバであって、前記携帯端末がユーザによって動かされたときの運動に基づいて前記携帯端末により取得された動き情報の内、過去に取得された動き情報と、今回取得された動き情報と、に基づいて、前記携帯端末に対して情報を提供する情報提供手段を備えることを特徴とする。
【００１８】
請求項７に記載の発明は、ユーザに携帯され、情報提供サーバにより提供される情報を取得する携帯端末であって、当該携帯端末がユーザによって動かされたときの運動に基づく動き情報を取得する動き情報取得手段と、前記動き情報取得手段により過去に取得された動き情報と、今回取得された動き情報と、に基づいて情報提供サーバから提供された情報を取得する提供情報取得手段と、を備えることを特徴とする。
【００１９】
請求項８に記載の発明は、ユーザに携帯される携帯端末であって、当該携帯端末がユーザによって動かされたときの運動に基づく動き情報を取得する動き情報取得手段と、前記取得された動き情報または今までに取得された複数回分の動き情報から得られる情報の少なくともいずれか一方を記憶する動き情報記憶手段と、前記記憶手段に記憶された過去の動き情報または前記動き情報取得手段により過去に取得された複数回分の動き情報から得られる情報の少なくともいずれか一方と、今回取得された動き情報と、に基づいて、ユーザに対して情報を提供する情報提供手段を備えることを特徴とする。
【００２０】
請求項９に記載の発明は、ユーザに携帯される携帯端末と、前記携帯端末に対して情報を提供する情報提供サーバと、を備える情報提供システムにおける情報提供方法であって、前記携帯端末が、ユーザによって動かされたときの運動に基づく動き情報を取得する工程と、前記情報提供サーバが、前動携帯端末により過去に取得された動き情報と、今回取得された動き情報と、に基づいて、前記携帯端末に対して情報を提供する工程と、前記携帯端末が、前記情報提供サーバにより提供された情報を取得する工程と、を備えることを特徴とする。
【００２１】
請求項１０に記載の発明は、ユーザに携帯される携帯端末に対して情報を提供する情報提供サーバに含まれるコンピュータを、前記携帯端末がユーザによって動かされたときの運動に基づいて前記携帯端末により取得された動き情報の内、過去に取得された動き情報と、今回取得された動き情報と、に基づいて、前記携帯端末に対して情報を提供する情報提供手段として機能させることを特徴とする。
【００２２】
請求項１１に記載の発明は、ユーザに携帯され、情報提供サーバにより提供される情報を取得する携帯端末に含まれるコンピュータを、当該携帯端末がユーザによって動かされたときの運動に基づく動き情報を取得する動き情報取得手段、前記動き情報取得手段により過去に取得された動き情報と、今回取得された動き情報と、に基づいて情報提供サーバから提供された情報を取得する提供情報取得手段、として機能させることを特徴とする。
【発明の効果】
【００２３】
本発明によれば、過去に携帯端末が動かされたときに得られた情報を有効に活用して情報提供を行うことが可能となる。
【発明を実施するための最良の形態】
【００２４】
以下、図面を参照して本発明の最良の実施形態について詳細に説明する。なお、以下に説明する実施の形態は、占い・着信音データ配信システムに対して本発明を適用した場合の実施形態である。
【００２５】
［１．占い・着信音データ配信システムの構成及び機能概要］
先ず、本実施形態に係る占い・着信音データ配信システムＳの構成及び機能概要について、図１乃至図２を用いて説明する。
【００２６】
図１は、本実施形態に係る占い・着信音データ配信システムＳの概要構成の一例を示す図である。また、図２は、携帯電話機Ｐを振るときのイメージ例を示す図である。
【００２７】
図１に示すように、占い・着信音データ配信システムＳは、携帯端末の一例としての複数の携帯電話機Ｐと、ユーザＤＢ（データベース）１０１及び振りＤＢ１０２を備える情報管理サーバの一例としての管理サーバＭＳと、占いＤＢ１１１を備える占いサーバＦＳと、方位・人物ＤＢ１２１、アーティストＤＢ１２２及び着信音ＤＢ１２３を備える情報提供サーバの一例としての着信音サーバＲＳと、を含んで構成されている。
【００２８】
携帯電話機Ｐと、管理サーバＭＳ、占いサーバＦＳ及び着信音サーバＲＳとは、ネットワークＮＷを介して相互にデータの送受信が可能（例えば、通信プロトコルにＴＣＰ／ＩＰ（Transmission Control Protocol/Internet Protocol）を用いて、相互にデータの送受信が可能）になっている。なお、ネットワークＮＷは、例えば、インターネット、専用通信回線（例えば、ＣＡＴＶ（Community Antenna Television）回線）、移動体通信網（無線基地局等を含む）、及びゲートウェイ等により構築されている。
【００２９】
本システムにおいては、携帯電話機Ｐのユーザが当該携帯電話機Ｐを手に持ち、所定のアプリケーションプログラムを起動した上で、図２に示すようなおみくじ箱を振るときの動作と同じような動作により携帯電話機Ｐを振る（ユーザが携帯端末を動かす一例）と、その振った方角（方向情報の一例）に対応した占い結果が携帯電話機Ｐのディスプレイに表示されるようになっている。
【００３０】
この占いの処理に必要なユーザの個人情報（ユーザデータ）及び占いデータは、夫々ユーザＤＢ１０１及び占いＤＢ１１１に格納されており、ユーザデータは管理サーバＭＳにより、占いデータは占いサーバＦＳにより携帯電話機Ｐへ送信されるようになっている。
【００３１】
また、ユーザが携帯電話機Ｐを振ると、その振った回数（動き情報の一例）と平均速度（動き情報の一例）とが携帯電話機Ｐにより取得される。本実施形態においては、この振り回数と平均速度とを掛け合わせた値を振り数値（動き情報の一例）と称し、今回携帯電話機Ｐを振ったときの振り数値と、過去に振ったときの振り数値の平均値との比較結果に基づいて、携帯電話機Ｐに配信される着信音データ（コンテンツデータの一例）が選択されるようになっている。
【００３２】
具体的には、振り数値をユーザの気分、体調等を表す情報として処理し、今回の振り数値が過去の振り数値の平均よりも大きい場合、つまり、振り回数が多いかまたは平均速度が速い場合には、ユーザの気分、体調等が良いと判定し、その気分、体調等に合わせてアップテンポの着信音データを選択する。一方、今回の振り数値が過去の振り数値の平均よりも小さい場合には、ユーザの気分、体調等が良くないと判定し、スローテンポの着信音データを選択するようになっている。
【００３３】
このとき、過去に携帯電話機Ｐを振ったときの振り数値等の履歴やその平均値は、振りＤＢ１０２に格納されており、管理サーバＭＳにより携帯電話機Ｐへ送信されるようになっている。
【００３４】
着信音サーバＲＳにおいては、携帯電話機Ｐから前記の比較結果（比較データ）、振った方角（振り方角データ）等を受信し、その方角が象徴する人物像を方位・人物ＤＢ１２１から取得し、その人物像に合致する音楽のアーティストをアーティストＤＢ１２２から抽出した後、そのアーティストの着信音データの中から、比較データに対応した着信音データを選択するようになっている。
【００３５】
［２．携帯電話機の構成及び機能］
次に、携帯電話機Ｐの構成及び機能について、図３を用いて説明する。
【００３６】
図３は、本実施形態に係る携帯電話機Ｐの概要構成の一例を示すブロック図である。
【００３７】
図３に示すように、携帯電話機Ｐは、無線基地局との電波送受信により移動体通信網に接続して、他の携帯電話機ＰやネットワークＮＷに接続されたサーバ等との通信を制御する無線通信部１１と、例えば、マイクロホン、Ｄ／Ａ変換器等を有し、ユーザの発話音声等をマイクロホンから入力すると当該音声に対応した音声データを生成して無線通信部１１に出力する音声入力部１２と、例えば、スピーカ、増幅回路等を有し、無線通信部１１から供給された音声データに対応する音声を生成してスピーカにより拡声する音声出力部１３と、を備え、他の携帯電話機Ｐとの通話やサーバ等とのデータ通信が可能となっている。かかる通信方式には、例えば、ＰＤＣ（Personal Digital Cellular）方式や、ＩＭＴ（International Mobile Telecommunication）方式、ＰＨＳ（Personal Handyphone System）方式等が採用される。
【００３８】
また、携帯電話機Ｐは、文字や画像等の情報を表示する表示部１４（例えば、液晶ディスプレイ等）と、ユーザからの操作指示を受け付け、その指示内容を指示信号としてシステム制御部１８に出力する操作部１５（例えば、ダイヤルボタン、操作ボタン等）と、各種プログラム及びデータ等を記憶する記憶部１６（例えば、フラッシュメモリ等）と、を備えている。
【００３９】
更に、携帯電話機Ｐは、加速度センサ１７１及び地磁気センサ１７２を有するセンサ部１７を備え、携帯電話機Ｐの加速度（動き情報の一例）及び携帯電話機Ｐの向いている方角を検出するようになっている。加速度センサ１７１は３軸タイプであり、図２に示すＸ軸方向（携帯電話機Ｐの幅方向）、Ｙ軸方向（携帯電話機Ｐの長手方向）、Ｚ軸方向（携帯電話機Ｐの厚さ方向）における加速度を検出し、加速度データとしてシステム制御部１８に出力するようになっている。また、地磁気センサ１７２も３軸タイプであり、Ｘ、Ｙ、Ｚ軸方向における地磁気を検出し、加速度センサ１７１により検出された加速度に基づき携帯電話機Ｐの周囲の磁気の影響を補正しつつ、地磁気データとしてシステム制御部１８に出力するようになっている。
【００４０】
更にまた、携帯電話機Ｐは、ＣＰＵ（Central Processing Unit）、ＲＡＭ（Random Access Memory）、ＲＯＭ（Read Only Memory）等を備える提供情報取得手段の一例としてのシステム制御部１８を備え、システム制御部１８と各部とはシステムバス１９を介して相互に接続されている。ここで、システム制御部１８及びセンサ部１７は、本願に係る動き情報取得手段及び方向取得手段の一例を構成する。
【００４１】
システム制御部１８は、ＣＰＵが、ＲＯＭや記憶部１６に記憶された各種プログラム（例えば、オペレーティングシステム、Ｗｅｂブラウザプログラム等）を読み出し実行することにより携帯電話機Ｐ全体を制御するようになっており、また、携帯端末用プログラムの一例としての占い・着信音アプリを実行することにより動き情報取得手段、方向取得手段及び提供情報取得手段として機能するようになっている。
【００４２】
具体的に、動き情報取得手段及び方向取得手段としてのシステム制御部１８は、センサ部１７から供給された加速度データ及び地磁気データに基づいて、携帯電話機Ｐがユーザにより振られたときの往復運動による平均速度、振り回数、振り方角、を算出し、更に前述した振り数値を算出するようになっている。
【００４３】
より詳細には、システム制御部１８は、携帯電話機Ｐの振りを検出する期間（ユーザが携帯電話機Ｐを振っている期間）の間、センサ部１７から供給された加速度データから携帯電話機Ｐの加速度ベクトルを算出し、更に、この加速度ベクトルを積算することにより、携帯電話機Ｐの現在の移動方向及び移動速度（いずれも動き情報の一例）を算出する。
【００４４】
また、システム制御部１８は、携帯電話機Ｐの移動速度がある閾値（移動速度０近傍）未満から当該閾値以上になったとき、つまり、携帯電話機Ｐの動きが（ほぼ）止まっている状態から移動している状態に遷移したときに、ユーザが携帯電話機Ｐを１回振ったと判定し、振り回数をカウントアップするようになっている。
【００４５】
そして、携帯電話機Ｐの振りを検出した期間が終了すると、システム制御部１８は、携帯電話機Ｐの移動速度の平均値をとることにより、携帯電話機Ｐの平均速度を算出した後、平均速度×振り回数を演算し、振り数値を算出するようになっている。
【００４６】
なお、移動速度や振り回数等の算出方法は、上述した方法以外にも公知のあらゆる方法を用いることができる。また、移動速度及び振り回数を取得する際、携帯電話機Ｐの特定の方向（例えば、Ｙ軸方向）に対する移動速度及び振り回数のみを取得するようにしても良いし、３次元的な動きに対応した移動速度及び振り回数を取得するようにしても良い。
【００４７】
システム制御部１８は、更に、ユーザが携帯電話機Ｐを振る期間の開始時点における地磁気データに基づき、携帯電話機Ｐが東、東南、南、西南、西、西北、北及び東北の内、どの方角を向いているかを判定し、この判定結果を振り方角データとして取得するようになっている。携帯電話機Ｐが向いている方角としては、例えば、当該携帯電話機Ｐの特定の部位が向いている方角（例えば、表示部１４のディスプレイ面が向いている方角等）としても良いし、または、ユーザが携帯電話機Ｐを最初に振った方角（加速度データ及び地磁気データから算出される）としても良い。
【００４８】
ここで、携帯電話機Ｐの振りの検出を開始するタイミング及び終了するタイミングのとり方は、各種の方法が考えられる。例えば、ユーザが携帯電話機Ｐの特定のボタンを押したときに検出を開始し、その後、また特定のボタンを押したときに検出を終了しても良いし、または、特定のボタンを押したときに検出を開始した後、所定時間（例えば、１０秒）経過したときに検出を終了しても良い。また、ユーザが携帯電話機Ｐの振りを開始したとき（携帯電話機Ｐが停止している状態から移動している状態に遷移したとき）に検出を開始し、ユーザが携帯電話機Ｐの振りを止めたとき（携帯電話Ｐが停止している状態に遷移してから所定時間（例えば、１秒）経過したとき）に検出を終了するようにしても良い。
【００４９】
更に、システム制御部１８は、携帯電話機Ｐの向いている方角、管理サーバＭＳから受信したユーザデータ及び占いサーバＦＳから受信した占いデータに基づいて占い処理を実行し、その結果を表示部１４に表示するように制御するようになっている。なお、ユーザデータ、占いデータ及び占い処理の詳細は後述する。
【００５０】
また更に、提供情報取得手段としてのシステム制御部１８は、今回取得した振り数値と、管理サーバＭＳから受信した過去の振り数値の平均データとを比較した後、着信音サーバＲＳに対する着信音配信リクエストとして、この比較結果（今回の振り数値が平均より大きい、平均と同じまたは平均より小さい）、振り方角データ及びユーザデータを着信音サーバＲＳに送信するようになっている。そして、システム制御部１８は、着信音サーバＲＳから着信音データをダウンロードするようになっている（着信音サーバＲＳから送信された着信音データを受信し、記憶部１６に記憶する）。
【００５１】
更にまた、システム制御部１８は、携帯電話機Ｐの振りに関する情報を振りデータとして記録しておくため、振り回数、平均速度、振り方角及び振り数値を管理サーバＭＳに送信するようになっている。
【００５２】
また更に、システム制御部１８は、記憶部１６に記憶された着信音データに対応する音楽が鳴るように、音声出力部１３を制御するようになっている。
【００５３】
なお、占い・着信音アプリ等は、例えば、予めＲＯＭや記憶部１６に記憶されていても良いし、ネットワークＮＷを介して所定のサーバ等からダウンロードされるようにしても良い。
【００５４】
［３．管理サーバ、占いサーバ、着信音サーバの構成及び機能］
次に、管理サーバＭＳ、占いサーバＦＳ及び着信音サーバＲＳの構成及び機能について、図４乃至図１０を用いて説明する。
【００５５】
図４は、管理サーバＭＳ、占いサーバＦＳ及び着信音サーバＲＳに共通する基本的な構成の概要例を示すブロック図である。
【００５６】
図４に示すように、サーバＭＳ、ＦＳ、ＲＳは、ネットワークＮＷに接続して携帯電話機Ｐとの通信を制御する通信部２１と、各種プログラム及びデータ等を記憶するとともに、各種データベースが構築されている記憶部２２（例えば、ハードディスクドライブ等）と、ＣＰＵ、ＲＡＭ、ＲＯＭ等を備えるシステム制御部２３と、を備え、システム制御部２３と各部とはシステムバス２４を介して相互に接続されている。
【００５７】
システム制御部２３は、ＣＰＵが、ＲＯＭや記憶部２２に記憶された各種プログラム（例えば、オペレーティングシステム、情報提供サーバ用プログラム等）を読み出し実行することにより当該サーバ全体を制御するようになっている。なお、各種プログラム等は、例えば、他のサーバからダウンロードされるようにしても良いし、ＣＤ−ＲＯＭ等の記録媒体に記録されてドライブを介して読み込まれるようにしても良い。
【００５８】
はじめに、管理サーバＭＳは、携帯電話機Ｐのユーザの個人情報及び携帯電話機Ｐの振りによって取得された情報を管理するようになっている。この管理サーバＭＳの記憶部２２（動き情報記憶手段の一例）には、ユーザの個人情報であるユーザデータが格納されたユーザＤＢ１０１及び携帯電話機Ｐの振りに関する振りデータが格納された振りＤＢ１０２が構築されている。
【００５９】
図５は、ユーザＤＢ１０１に記憶されるユーザデータの一例を示す図である。
【００６０】
図５に示すように、ユーザＤＢ１０１には、ユーザ毎に、固有に割り当てられたユーザＩＤ（例えば、携帯電話機Ｐの電話番号等）、性別、生年月日、本命星及び好みのジャンルがユーザデータとして記憶されている。ここで、本命星とは、人間が生まれたときに、気学上の方位盤で中央に位置していた星のことであるといわれており、ユーザの生年月日から一意に求められ、携帯電話機Ｐにおける占い処理に用いられるデータである。また、好みのジャンルとは、ユーザが嗜好する音楽のジャンルのことをいい、１ジャンルまたは複数ジャンルが設定される。
【００６１】
なお、これらのデータは、管理サーバＭＳの管理者等により予め入力されるようにしても良いし、または、管理サーバＭＳが、ＣＧＩ（Common Gateway Interface）プログラムやＪＡＶＡ（登録商標）プログラム等を実行することにより、ネットワークＮＷを介して携帯電話機Ｐにデータ入力フォーム（例えば、ＨＴＭＬ（Hyper Text Markup Language）データ及びこれに関連付けられたデータ等により構成される）を提供し、当該フォームに対してユーザ操作により入力されたデータを携帯電話機Ｐから取得するようにしても良い。また、ユーザデータとしては、図５に示すデータ以外の他のデータが含まれるようにしても良い。
【００６２】
図６は、振りＤＢ１０２に記憶される振りデータの一例を示す図である。
【００６３】
図６に示すように、振りＤＢ１０２には、携帯電話機Ｐからの振りデータの受信毎に、その振り回数、振り方角、平均速度及び振り数値が、受信した日付（システム制御部２３に内蔵されているタイマ回路から取得される）とともに、各ユーザのユーザＩＤに対応付けられて記憶される。また、振りＤＢ１０２には、今までに取得された振り数値の平均データが記憶される。
【００６４】
管理サーバＭＳのシステム制御部２３は、携帯電話機Ｐからのリクエストに応じて携帯電話機Ｐのユーザに対応したユーザデータ及び振り数値平均データを送信するとともに、携帯電話機Ｐから振りデータを受信すると、振りＤＢの対応する振りデータを更新するようになっている。
【００６５】
次に、占いサーバＦＳは、携帯電話機Ｐによる占い処理に用いられるデータを管理するようになっている。この占いサーバＦＳの記憶部２２には、占いＤＢ１１１が構築されている。
【００６６】
図７は、占いＤＢ１１１に記憶される占いデータの一例を示す図である。
【００６７】
図７に示すように、占いＤＢ１１１には、男女夫々の本命星及び携帯電話機Ｐの振り方角に対応して、その運勢（占い結果）が占いデータとして記憶されている。この運勢としては、例えば、縁起が良い順に、「最大吉」、「大吉」、「中吉」、「小吉」、普通（図中空欄）、「凶」、「大凶」が設定される。占いＤＢ１１１には、この占いデータが日付毎に対応付けて記憶されることとなる。これは、占い処理を行う日によって占い結果が異なることを意味する。
【００６８】
占いサーバＦＳのシステム制御部２３は、携帯電話機Ｐからのリクエストに応じてその日の占いデータを携帯電話機Ｐに送信するようになっている。
【００６９】
次に、着信音サーバＲＳは、携帯電話機Ｐに配信される着信音データを管理するようになっている。この着信音サーバＲＳの記憶部２２（コンテンツ記憶手段の一例）には、方位（方角）に対応付けられた人物像のデータが格納される方位・人物ＤＢ１２１、着信音のアーティストのデータが格納されるアーティストＤＢ１２２、着信音データ及びそのインデックスデータが格納される着信音ＤＢ１２３が構築されている。
【００７０】
図８は、方位・人物ＤＢ１２１に記憶される方位・人物データの一例を示す図である。
【００７１】
図８に示すように、方位・人物ＤＢ１２１には、各方位に対応付けてその方位によって象徴される人物像（あるいは、その方位が意味する人物像等）のデータが、１または複数記憶されている。
【００７２】
図９は、アーティストＤＢ１２２に記憶されるアーティストデータの一例を示す図である。
【００７３】
図９に示すように、アーティストＤＢ１２２には、着信音ＤＢ１２３に記憶されている着信音データのオリジナル曲のアーティスト夫々について、そのアーティストの名称、その音楽ジャンル、人物データ及びアーティストの生年月日が、アーティスト毎に固有に割り当てられたアーティストＩＤに対応付けて記憶されている。
【００７４】
音楽ジャンルに設定される内容は、ユーザデータの好みのジャンルに設定される内容と同じ内容のデータが設定される。また、人物データとは、そのアーティストの人物像を示すデータをいい、方位・人物像データに設定される内容と同じ内容のデータが設定される。また、アーティストの生年月日としては、そのアーティストが複数人から構成されるグループ等である場合には、その人数分の生年月日が設定されていても良いし、例えば、リーダの生年月日のみが設定されていても良い。
【００７５】
図１０は、着信音データＤＢ１２３に記憶されるインデックスデータの一例を示す図である。
【００７６】
着信音データＤＢ１２３には、着信音データが記憶されており、図１０に示すように、着信音データ毎に、その曲名、アーティスト名、アーティストＩＤ、テンポ、着信音データの格納パス（例えば、格納場所を示すディレクトリ名と着信音データのファイル名の組み合わせ等）がインデックスデータとして記憶されている。
【００７７】
テンポとは、着信音データの曲のテンポを示しており、例えば、７０ＢＰＭ（Beat Per Minute）以下の曲はＳＬＯＷ（スローテンポ）、７０ＢＰＭから１２０ＢＰＭまでの曲はＭＩＤ（ミディアムテンポ）、１２０ＢＰＭ以上の曲はＵＰ（アップテンポ）が設定される。
【００７８】
着信音サーバＲＳのシステム制御部２３（情報提供手段の一例）は、携帯電話機Ｐから送信された比較データ、振り方角データ及びユーザデータと、記憶部２２に構築されたデータベースに記憶された各種データとに基づいて、携帯電話機Ｐに配信する（携帯電話機Ｐによりダウンロードされる）着信音データを選択するようになっているが、当該処理の詳細については後述する。
【００７９】
［４．占い・着信音データ配信システムの動作］
次に、占い・着信音データ配信システムＳの動作について、図１１乃至図１２を用いて説明する。なお、以下の説明においては、携帯電話機Ｐがユーザによって過去に振られたときの何回分かの振りデータが管理サーバＭＳの振りＤＢ１０２に記憶されているものとする。
【００８０】
図１１及び図１２は、本実施形態に係る占い・着信音データ配信システムＳの処理の概要の一例を示すフローチャートである。
【００８１】
先ず、ユーザが携帯電話機Ｐの操作部１５を用いて占い・着信音アプリを起動させると、図１１に示すように、携帯電話機Ｐのシステム制御部１８は、占い処理及び着信音データのダウンロードを実行するためのデータリクエストを管理サーバＭＳ及び占いサーバＦＳに送信する（ステップＳ１０１）。このデータリクエストには、当該ユーザに割り当てられたユーザＩＤが含まれている（ＲＯＭまたは記憶部１６に記憶されている）。
【００８２】
管理サーバＭＳのシステム制御部２３は、データリクエストを受信すると（ステップＳ２０１）、データリクエストに含まれるユーザＩＤに対応するユーザデータをユーザＤＢ１０１から取得するとともに、当該ユーザＩＤに対応する振り数値平均データを振りＤＢ１０２から取得し、これらのデータを携帯電話機Ｐに送信する（ステップＳ２０２）。
【００８３】
一方、占いサーバＦＳのシステム制御部２３は、データリクエストを受信すると（ステップＳ３０１）、タイマ回路から取得された日時情報に基づいてその日の占いデータを占いＤＢ１１１から取得し、携帯電話機Ｐに送信する（ステップＳ３０２）。
【００８４】
そして、管理サーバＭＳからユーザデータ及び振り数値平均データを受信するとともに、占いサーバＦＳから占いデータを受信した携帯電話機Ｐのシステム制御部１８は（ステップＳ１０２）、当該携帯電話機Ｐの振りを検出する処理を実行する（ステップＳ１０３）。
【００８５】
具体的にシステム制御部１８は、ユーザが特定のボタンを押したときに、センサ部１７による加速度及び地磁気を検出させるように制御しつつ、センサ部１７から供給された加速度データ及び地磁気データに基づいて、携帯電話機Ｐの振り方角、振り回数及び速度を算出する。そして、検出期間が終了すると、加速度及び地磁気の検出を停止するように制御し、平均速度を算出した後、振り回数×平均速度を演算して振り数値を算出する。
【００８６】
次いで、システム制御部１８は、携帯電話機Ｐが振られたか否かを判定する（ステップＳ１０４）。具体的に、システム制御部１８は、振り回数が０の場合は携帯電話機Ｐが振られていないと判定して（ステップＳ１０４：ＮＯ）、処理を終了し（図１２）、振り回数が１以上の場合は携帯電話機Ｐが振られたと判定し（ステップＳ１０４：ＹＥＳ）、占い処理を実行する（ステップＳ１０５）。
【００８７】
占い処理において、具体的にシステム制御部１８は、ユーザデータの性別及び本命星と、携帯電話機Ｐの振り方角データとを用いて、占いデータから対応する運勢を特定する。そして、特定された運勢を占い結果として表示部１４に表示するように制御する（例えば、「大吉です！」等）。また、システム制御部１８は、占い結果に対応した音楽が鳴るように音声出力部１３を制御する（例えば、最大吉の場合はおめでたい音楽、大凶の場合は暗い音楽等）。
【００８８】
このとき、占い結果が最大吉以外であった場合には、最大吉の方角を表示させるようにしても良い（例えば、「開運の方位は東です」等）。
【００８９】
次に、システム制御部１８は、過去の振り数値平均データとステップＳ１０３にて取得された今回の振り数値とを比較することにより、着信音サーバＲＳに送信する比較データに設定する内容を決定する（ステップＳ１０６）。具体的にシステム制御部１８は、今回の振り数値の方が大きい場合には、ユーザがいつもよりも元気であることを示す「ＧＯＯＤ」を設定し、振り数値平均データと今回の振り数値が等しい場合には、ユーザがいつもと同じ状態であることを示す「ＮＯＲＭＡＬ」を設定し、振り数値平均データの方が大きい場合には、ユーザがいつもより元気が無いことを示す「ＢＡＤ」を設定する。
【００９０】
そして、図１２に示すように、システム制御部１８は、着信音データ配信リクエストとして、比較データ、振り方角データ及びユーザデータを着信音サーバＲＳに送信する（ステップＳ１０７）。
【００９１】
これらのデータを受信した着信音サーバＲＳのシステム制御部２３は（ステップＳ４０１）、受信した振り方角データに対応する方位・人物データを方位・人物ＤＢ１２１から取得する（ステップＳ４０２）。
【００９２】
次いで、着信音サーバＲＳのシステム制御部２３は、取得された方位・人物データに合致するアーティストをアーティストＤＢ１２２から抽出する（ステップＳ４０３）。具体的には、アーティストデータの人物データに設定されている人物像の中に、方位・人物データに設定されている人物像と一致するものがある場合は、方位・人物データに合致するアーティストであると判定される。
【００９３】
次いで、着信音サーバＲＳのシステム制御部２３は、抽出されたアーティストの音楽ジャンルが、ユーザデータの好みのジャンルに該当するアーティストを抽出し、当該抽出されたアーティストの中から着信音データを配信するアーティストをランダムに選択する（ステップＳ４０４）。
【００９４】
このとき、アーティストをランダムに選択する前に（またはランダム選択に代えて）、更にアーティストの絞込みを行っても良い。例えば、ユーザの生年月日とアーティストの生年月日とを比較して、生年月日が近い（つまり、年代が同じ）アーティストが選択されるようにしても良い。このとき、アーティストの生年月日が複数設定されている場合には、例えば、いずれか一つを選択して比較しても良いし、全生年月日の平均生年月日を求めて比較してもよい。
【００９５】
また、アーティストの人物データにより絞込みを行っても良い。例えば、アーティストの人物データに「少女」が設定されている場合には、このアーティストの生年月日がユーザの生年月日よりも新しい場合（アーティストがユーザより年下の場合）にのみ当該アーティストが選択されるようにしても良い。こうした人物データによる絞込みを行うための規則情報は、例えば、各人物像と対応付けられて方位・人物ＤＢ１２１に記憶される。
【００９６】
次いで、着信音サーバＲＳのシステム制御部２３は、選択されたアーティストのアーティストＩＤで着信音ＤＢ１２３を検索し、当該アーティストの着信音のインデックスデータを抽出する（ステップＳ４０５）。
【００９７】
そして、着信音サーバＲＳのシステム制御部２３は、比較データに対応する曲のテンポを決定し、当該テンポに合致する着信音のみが選択されるようにインデックスデータの絞込みを行う（ステップＳ４０６）。具体的には、比較データが「ＧＯＯＤ」の場合には「ＵＰ」を選択し、比較データが「ＮＯＲＭＡＬ」の場合には「ＭＩＤ」を選択し、比較データが「ＢＡＤ」の場合には「ＳＬＯＷ」を選択する。つまりユーザの元気が良い場合にはアップテンポの曲が選択されるようにし、元気が良くない場合にはスローテンポの曲が選択されるようにする。
【００９８】
次いで、着信音サーバＲＳのシステム制御部２３は、絞り込みが行われたインデックスデータの中から一つのインデックスデータをランダムに選択すると（ステップＳ４０７）、当該インデックスデータの着信音データ格納場所に示される着信音データを着信音ＤＢ１２３から読み出し、この着信音データを携帯電話機Ｐに送信する（ステップＳ４０８）。
【００９９】
着信音データを受信した携帯電話機Ｐのシステム制御部１８は、この着信音データを記憶部１６に記憶する（ステップＳ１０８）。このとき着信音データの曲名やアーティスト名等の情報を表示部１４に表示させたり、当該着信音を鳴らすようにしても良い。
【０１００】
最後に、システム制御部１８は、今回取得した振りデータを管理サーバＭＳに送信し（ステップＳ１０９）、処理を終了する。
【０１０１】
振りデータを受信した管理サーバＭＳのシステム制御部２３は（ステップＳ２０３）、このデータをユーザＩＤに対応した振りデータに新たに追加するとともに、今回受信した振り数値を含めて今まで受信した振り数値の平均データを計算し直して、振りＤＢ１０２を更新する（ステップＳ２０４）。
【０１０２】
以上説明したように、本実施形態によれば、ユーザによって携帯電話機Ｐが振られたときの振り回数、平均速度、振り数値等の振りデータを携帯電話機Ｐが取得し、着信音サーバＲＳは、過去に取得された振りデータと、今回取得された振りデータに基づいて、携帯電話機Ｐに対して着信音データを配信するようになっている。
【０１０３】
従って、今回携帯電話機がユーザによって振られたときに得られた情報を用いて情報を提供するときに、過去に携帯電話機Ｐが振られたときに得られた情報を有効に活用することができる。
【０１０４】
また、本実施形態によれば、ユーザによって携帯電話機Ｐが振られる際に、携帯電話機Ｐの向いている方角を取得し、着信音サーバＲＳは、この方角にも基づいて携帯電話機Ｐに対して着信音データを配信するので、携帯電話機Ｐを振った方向等を取得することができ、携帯電話機Ｐが振られたときに得られた情報をより有効に活用して情報を提供することができる。また、占い等におけるユーザの運勢等といった要素も加味した情報を提供することができる。
【０１０５】
更に、本実施形態によれば、着信音サーバＲＳは、複数の着信音データをその記憶部２２に記憶させておき、携帯電話機Ｐにおいて過去に取得された振り数値平均データと、今回取得された振り数値との比較結果に対応した着信音データを着信音サーバが配信するので、現在におけるユーザの元気の良し悪し等の状態等に対応した着信音データを提供することができる。
【０１０６】
また更に、本実施形態によれば、過去の振りデータは管理サーバＭＳがその記憶部２２に記憶しておくので、携帯電話機Ｐの記憶容量が少ない場合であっても過去の情報を保存し、利用することができる。
【０１０７】
なお、本実施形態においては、携帯電話機Ｐの加速度センサ１７１及び地磁気センサ１７２はいずれも３軸タイプであったが、例えば、２軸タイプでも良い。また、携帯電話機Ｐの動きに基づく情報が得られるのであれば、これら以外のセンサ等を備えていても良い。
【０１０８】
また、本実施形態においては、動き情報として振り数値を用いていたが、例えば、加速度、速度、振り回数、移動距離、描く軌跡等を用いても良いし、これらの情報から得られる別の情報を用いてもよい。
【０１０９】
また、過去の複数回分の動き情報から得られる情報としては、振り数値の平均データを用いる以外にも、例えば、過去の振りに関する複数回分の情報から別の情報を生成（演算等）して用いても良い。
【０１１０】
更には、過去の振りに関する複数回分の情報の一部または全部をそのまま用いても良い。例えば、本実施形態のように、過去の振りデータを履歴のように記録しておくのではなく、初期設定段階において、ユーザの元気が良い場合と、普通の場合と、元気が良くない場合のサンプルとして３パターン分携帯電話機Ｐを振らせ、この３パターン分の振りデータを過去のデータとして記憶し、これらのデータと、今回取得された振りデータとを比較した結果に応じて提供情報を選択しても良い。
【０１１１】
また、本実施形態においては、過去の振り数値の平均と今回の振り数値の比較から、ユーザが元気であるか否かを判定していたが、例えば、ユーザの体調の良し悪し、ユーザの感情（喜怒哀楽）や、ユーザの置かれている状況等を判定しても良い。
【０１１２】
また、本実施形態においては、本発明に係る提供情報を着信音データに適用したが、他の情報に適用しても良い。例えば、過去の振り数値と今回の振り数値によって占い結果が変化する占い情報を提供しても良いし、過去の振り数値の平均データと今回の振り数値を比較した結果、今回の振り数値の方が大きい場合には「今日は元気だね！」を表示する一方、今回の振り数値の方が小さい場合には「疲れてるの？」と表示するようなユーザの体調を示す情報（例えば、バイオリズム等）を提供しても良い。ここで、例えば、「今日は元気だね！」を表示した後に、ユーザに再度携帯電話機Ｐを振らせ（このとき、明るい音楽を鳴らして、この音楽のリズムに合わせて携帯電話機Ｐを振る等、ユーザが振りやすいような環境をつくっても良い）、この振り動作によるユーザのカロリー消費を計算して、消費カロリーを表示するようにしても良い。なお、この消費カロリーは、例えば、センサ部１７から供給される加速度データに基づき計算される。
【０１１３】
また、携帯端末は、携帯電話機だけではなく他の携帯端末に適用しても良い（例えば、各種センサを備え、無線ＬＡＮ（ＩＥＥＥ８０２．１１）等に接続可能なＰＤＡ（Personal Digital Assistant）等）。
【０１１４】
また、管理サーバＭＳ、占いサーバＦＳ及び着信音サーバＲＳという３つのサーバで本システムを構成するのではなく、この３つのサーバのいずれか２つまたは全部を一体にして構成するようにしても良い。
【０１１５】
また、３つのサーバの構成、機能の一部または全部を携帯電話機Ｐにおいて備えるようにしても良い。例えば、各携帯電話機Ｐが情報管理サーバのように自己のユーザデータ及び振りデータを記憶部１６に記憶、管理するようにしても良いし、または、携帯電話機Ｐ自身が情報提供サーバのように過去の振りデータと今回の振りデータに基づいて情報を表示部１４に表示する等しても良い（例えば、上記体調を示す情報の提供等）。
【０１１６】
また、本実施形態においては、携帯電話機Ｐが振られたときの往復運動から得られる情報に基づいて情報提供するようにしていたが、これ以外の運動（例えば、振り回したときに生じる携帯電話機Ｐの円運動や回転運動等）から得られる情報に基づいて情報提供するようにしても良い。
【図面の簡単な説明】
【０１１７】
【図１】本実施形態に係る占い・着信音データ配信システムＳの概要構成の一例を示す図である。
【図２】携帯電話機Ｐを振るときのイメージ例を示す図である。
【図３】本実施形態に係る携帯電話機Ｐの概要構成の一例を示すブロック図である。
【図４】管理サーバＭＳ、占いサーバＦＳ及び着信音サーバＲＳに共通する基本的な構成の概要例を示すブロック図である。
【図５】ユーザＤＢ１０１に記憶されるユーザデータの一例を示す図である。
【図６】振りＤＢ１０２に記憶される振りデータの一例を示す図である。
【図７】占いＤＢ１１１に記憶される占いデータの一例を示す図である。
【図８】方位・人物ＤＢ１２１に記憶される方位・人物データの一例を示す図である。
【図９】アーティストＤＢ１２２に記憶されるアーティストデータの一例を示す図である。
【図１０】着信音データＤＢ１２３に記憶されるインデックスデータの一例を示す図である。
【図１１】本実施形態に係る占い・着信音データ配信システムＳの処理の概要の一例を示すフローチャートである。
【図１２】本実施形態に係る占い・着信音データ配信システムＳの処理の概要の一例を示すフローチャートである。
【符号の説明】
【０１１８】
１１  無線通信部
１２  音声入力部
１３  音声出力部
１４  表示部
１５  操作部
１６  記憶部
１７  センサ部
１８  システム制御部
１９  システムバス
２１  通信部
２２  記憶部
２３  システム制御部
２４  システムバス
１０１  ユーザＤＢ
１０２  振りＤＢ
１１１  占いＤＢ
１２１  方位・人物ＤＢ
１２２  アーティストＤＢ
１２３  着信音ＤＢ
１７１  加速度センサ
１７２  地磁気センサ
Ｐ  携帯電話機
ＭＳ  管理サーバ
ＦＳ  占いサーバ
ＲＳ  着信音サーバ
ＮＷ  ネットワーク
Ｓ 占い・着信音データ配信システム
【図１】
2007258885.tif 000003
【図２】
2007258885.tif 000004
【図３】
2007258885.tif 000005
【図４】
2007258885.tif 000006
【図５】
2007258885.tif 000007
【図６】
2007258885.tif 000008
【図７】
2007258885.tif 000009
【図８】
2007258885.tif 000010
【図９】
2007258885.tif 000011
【図１０】
2007258885.tif 000012
【図１１】
2007258885.tif 000013
【図１２】
2007258885.tif 000014